(57)【要約】【課題】  着脱が容易に行え、各種サイズ・形状に適用可能な記録媒体収納ケースを提供する。【解決手段】  ケース本体と、複数個の第１保持部材２１０と、少なくとも１つの掛止爪２２０と、被押圧部材２３０とからなる。ケース本体は平面部を有している。各第１保持部材２１０は、第１の端部２１１、第２の端部２１２および付勢部２１３を有しており、第１の端部２１１は平面部に接続し、第１保持部材２１０を折曲させた部分が付勢部２１３となっている。掛止爪２２０は第１保持部材２１０の第２の端部２１２に連接している。このような構成により、被押圧部材２３０が押圧されて圧力を受けると、第１保持部材２１０が連動されて掛止爪２２０が光ディスクへの係止を解除する。そしてこのとき、各第１保持部材２１０の付勢部２１３は、光ディスクを解除する方向へと付勢する。【選択図】      図２
2005203068.tif 000002
【特許請求の範囲】
【請求項１】
平面部を有するケース本体と、
被押圧部材と、
前記平面部および前記被押圧部材を連結させるべくこれらの間に設けられ、前記被押圧部材が押圧されて圧力を受けた場合に、記録媒体を解除する方向に前記記録媒体を付勢する付勢部をそれぞれ有する複数個の第１保持部材と
を備えることを特徴とする記録媒体収納ケース。
【請求項２】
隣り合う前記第１保持部材の間に、前記第１保持部材の変形能力を高めるための第１の間隙を少なくとも１つ形成してあることを特徴とする請求項１記載の記録媒体収納ケース。
【請求項３】
前記被押圧部材を囲むように前記複数個の第１保持部材に連設されて、前記記録媒体を掛止固定する少なくとも１つの掛止爪をさらに備えることを特徴とする請求項１記載の記録媒体収納ケース。
【請求項４】
前記掛止爪と前記被押圧部材との間に、前記掛止爪が前記被押圧部材の方向へ移動できるだけの第２の間隙を形成してあることを特徴とする請求項３記載の記録媒体収納ケース。
【請求項５】
前記各第１保持部材の前記平面部との接続部分に、前記第１保持部材の変形能力を高めるための切り欠き孔をそれぞれ形成してあることを特徴とする請求項１記載の記録媒体収納ケース。
【請求項６】
前記平面部における前記切り欠き孔の位置に設けられ、前記記録媒体を解除する方向に前記記録媒体を付勢する第２保持部材をさらに備えることを特徴とする請求項５記載の記録媒体収納ケース。
【請求項７】
前記平面部上に設けられ、前記記録媒体を保護する環状突条をさらに備えることを特徴とする請求項１記載の記録媒体収納ケース。
【請求項８】
前記環状突条上に、前記記録媒体の取り出しを円滑にさせるための凹陥部を少なくとも１つ設けてあることを特徴とする請求項７記載の記録媒体収納ケース。
【請求項９】
前記環状突条に、前記第１保持部材の高さよりも低い高さを有して、解除された場合に前記記録媒体が不当に傾斜することを防ぐ複数個の第３保持部材を形成してあることを特徴とする請求項７記載の記録媒体収納ケース。
【請求項１０】
回動自在に前記ケース本体に連結された蓋をさらに備えることを特徴とする請求項１記載の記録媒体収納ケース。
【請求項１１】
前記掛止爪の前端部を丸角に形成してあることを特徴とする請求項３記載の記録媒体収納ケース。
【請求項１２】
前記記録媒体はＤＶＤであることを特徴とする請求項１記載の記録媒体収納ケース。
【発明の詳細な説明】
【技術分野】
【０００１】
本発明は、光ディスクなどの記録媒体を収納する記録媒体収納ケースに関し、特に、各種のサイズまたは形状の記録媒体にも好適に使用できる記録媒体収納ケースに関する。
【背景技術】
【０００２】
図５は、従来の光ディスク収納ケースを示す立体図、図６は、従来の光ディスク収納ケースのケース本体の断面図である。図示するように、従来の光ディスク収納ケースは、ケース本体１０および蓋２０を備え、ケース本体１０の一側縁が回動自在に蓋２０に連結され、他の三側縁はフレーム１１を固定させてなり、ケース内へのほこりの進入が防止される構成となっている。また、フレーム１１の一側縁上には、使用者が指を挿入して押圧すると蓋２０を開けることができるように凹部２１が設けられている。図６に示すように、ケース本体１０内部には、光ディスク３０を保持し載置させる環状の保持材１２が設けられ、かつ、保持材１２に環囲される領域内に、互いに向き合う方向に延びて対を成す係止手段１３が設置されている。係止手段１３は、一対の片持ち梁４０と、片持ち梁４０端部に形成された半円形の押圧部４１と、押圧部４１辺縁に形成された掛止爪４２とから構成されており、係止手段１３の間には所定の間隙１４が設けられている。
【０００３】
こうした構成の従来の収納ケースに光ディスク３０を収納するには、光ディスク３０中央の円孔３１を係止手段１３に嵌入させて、係止手段１３の掛止爪４２を光ディスク３０の円孔３１の周縁に当接させればよい。この動作の結果収納された状態が図７（ａ）に示してある。このとき、光ディスク３０の外周縁は、保持材１２上に載置された状態となっている。
【０００４】
一方、光ディスク３０を取り出すには、指で係止手段１３の押圧部４１を押圧して係止手段１３の片持ち梁４０を図７（ａ）のＡ，Ａ´で示す方向に移動させると、光ディスク３０は、保持材１２に支持されている状態で、係止手段１３が下方に撓むのに抗しながら僅かに変形する。そして、係止手段１３の間には間隙１４が形成されていることから、一対の押圧部４１が互いに接近すると共に押し下がり、光ディスク３０が掛止爪４２の当接から解除される。こうして、変形した光ディスク３０は本来の形状に復元しながらケース本体１０から跳ね上がり、使用者は光ディスク３０を取り出せる状態となる。
【０００５】
このように、従来の光ディスク収納ケースから光ディスクを取り出すには、係止手段１３の押圧部４１を押圧するが、このときに、保持材１２の光ディスクを解除する方向への付勢力、つまり反作用力がなければ、光ディスクは跳ね上がらない。よって、図７（ｂ）に示されるように、小さいサイズまたは非円形の光ディスク３３の場合、その外周縁が保持材１２に支持されないので、係止手段１３の押圧部４１を押圧しても、スムーズに光ディスク３３を取り出すことができなくなる。すなわち、従来の光ディスク収納ケースは、規格サイズの光ディスクにしか適用されず、サイズの小さいものや、非円形のものには不適当である。
【０００６】
また、光ディスク収納ケースに関して、構造の剛性を高めたものが提案されているが（特許文献１参照）、かかる構造には光ディスクが係止から解除され難いという問題があり、特に比較的力が弱い女性の使用者などにあっては、ケースの押圧部分に十分な圧縮応力をかけることができず、光ディスクをうまく取り出せないといった不具合がある。
【０００７】
図８は、記録媒体としての光ディスクの外観斜視図であり、図９（ａ）は、図８における光ディスクの部分Ａの拡大図である。光ディスク５０は、例えば一般的なＤＶＤであり、中央に円孔５１を備えている。ここで光ディスク５０はＤＶＤであるため、第１の光ディスク層５２と第２の光ディスク層５３とが重畳して構成されており、通常はこれら２層間に接着部５４が存在している。図９（ｂ）は、掛止爪の係止から光ディスクが解除される状態を示す説明図である。図示するように、従来の収納ケースでは、係止爪２２０の前端部２２１が鋭角に形成されているため、光ディスク５０を取り出そうとする過程で接着部５４がこの鋭角の部分に引っ掛かり、取り出しにくくなるばかりか、光ディスク５０を傷つけてしまう虞れもある。
【特許文献１】台湾特許第４７２７７３号公告
【発明の開示】
【発明が解決しようとする課題】
【０００８】
上述の問題に鑑みて、本発明の目的は、各種のサイズまたは形状の記録媒体に適用でき、いずれの場合でも着脱が容易に行える記録媒体収納ケースを提供することにある。
【課題を解決するための手段】
【０００９】
すなわち、本発明は、平面部を有するケース本体と、被押圧部材と、前記平面部および前記被押圧部材を連結させるべくこれらの間に設けられ、前記被押圧部材が押圧されて圧力を受けた場合に、記録媒体を解除する方向に前記記録媒体を付勢する付勢部をそれぞれ有する複数個の第１保持部材とを備えた記録媒体収納ケースに関する。
【００１０】
隣り合う前記第１保持部材の間に、これら第１保持部材の変形能力を高めるための第１の間隙を少なくとも１つ形成することが好ましい。
【００１１】
前記被押圧部材を囲むように前記複数個の第１保持部材に連設されて、前記記録媒体を掛止固定する少なくとも１つの掛止爪をさらに備えることが好ましい。
【００１２】
前記掛止爪と前記被押圧部材との間に、前記掛止爪を前記被押圧部材の方向へ移動させるための第２の間隙を形成することが好ましい。
【００１３】
前記各第１保持部材の前記平面部との接続部分に、これら第１保持部材の変形能力を高めるための切り欠き孔をそれぞれ形成することが好ましい。
【００１４】
前記平面部における前記切り欠き孔の位置に設けられ、前記記録媒体を解除する方向に前記記録媒体を付勢する第２保持部材をさらに備えることが好ましい。
【００１５】
前記平面部上に設けられ、前記記録媒体を保護する環状突条をさらに備えることが好ましい。
【００１６】
前記環状突条上に、前記記録媒体の取り出しを円滑にさせるための凹陥部を少なくとも１つ設けることが好ましい。
【００１７】
前記環状突条に、前記第１保持部材の高さよりも低い高さを有して、解除された場合に前記記録媒体が不当に傾斜することを防ぐ複数個の第３保持部材を形成することが好ましい。
【００１８】
回動自在に前記ケース本体に連結された蓋をさらに備えることが好ましい。
【００１９】
前記掛止爪の前端部を丸角に形成することが好ましい。
【００２０】
前記記録媒体はＤＶＤであることが好ましい。
【発明の効果】
【００２１】
本発明が提供する記録媒体収納ケースは、各種のサイズまたは非円形の記録媒体にも適用でき、いずれの場合にあっても記録媒体に対して十分な解除のための付勢力を付与できる。
【００２２】
また、本発明に係る記録媒体収納ケースは、複数個の第１保持部材に記録媒体を保持させると共に、これら第１保持部材の間に第１の間隙を設けた構成としたため、その保持構造の剛性が比較的弱くなって記録媒体の取り出しが一層容易に行える他、掛止爪の弾性変形能力も向上するので、記録媒体の収納もよりスムーズとなる。さらに、掛止爪の前端部を丸角に設計したため、ＤＶＤなどの記録媒体構造における層間接着部に掛止爪フックが引っ掛かるといった事態も生じない。
【発明を実施するための最良の形態】
【００２３】
本発明に係る記録媒体収納ケースの一例としての光ディスク収納ケースは、ケース本体と、複数個の第１保持部材と、少なくとも１つの掛止爪と、被押圧部材とからなる。ケース本体は平面部を有している。各第１保持部材は、第１の端部、第２の端部および付勢部を有しており、第１の端部は平面部に接続しており、第１保持部材を折曲させた部分が付勢部として形成されている。さらに、掛止爪は、第１保持部材の第２の端部に連接している。このような構成により、被押圧部材が押圧されて圧力を受けると、第１保持部材が連動されて掛止爪が光ディスクへの係止を解除する。そしてこのとき、各第１保持部材の付勢部は、光ディスクを解除する方向へと付勢する。
【００２４】
以下に、図面と対応させながら、本発明に係る光ディスク収納ケースの構成を具体的に説明する。
【００２５】
図１は、本発明に係る光ディスク収納ケースの主要構造図である。光ディスク収納ケース１００は主に、ケース本体１１０、蓋１２０および係止手段２００からなっている。ケース本体１１０は、平面部１１２および第１係合部１１１を具備しており、係止手段２００はこの平面部１１２上に設けられている。蓋１２０は、第２係合部１２１を備えており、ケース本体１１０と回動自在に連結されている。第２係合部１２１と第１係合部１１１とは互いに係合する。
【００２６】
図２は、係止手段２００の細部構造図である。図示するように、係止手段２００は、複数個の第１保持部材２１０、複数個の掛止爪２２０、被押圧部材２３０および複数個の第２保持部材２５０から構成される。各第１保持部材２１０はそれぞれ、第１の端部２１１、第２の端部２１２および付勢部２１３からなり、全体で略Ｌ字形に形成された部材である。第１の端部２１１は平面部１１２に接続している。付勢部２１３は第１保持部材２１０を折曲させた部分のことである。各第１保持部材２１０の間には第１の間隙２１５が形成されている。掛止爪２２０は、各第１保持部材２１０の第２の端部２１２にそれぞれ接続しており、光ディスクを掛止して係止させるものである。被押圧部材２３０も第１保持部材２１０の第２の端部２１２に接続している。掛止爪２２０と被押圧部材２３０との間には、掛止爪２２０が被押圧部材２３０の方向に移動できるように、第２の間隙２４０が形成されている。また、第１保持部材２１０の変形能力をより高めるために、各第１保持部材２１０の平面部１１２と接続する部分に、切り欠き孔２１６が形成されている。そして、平面部１１２における切り欠き孔２１６の位置に、光ディスクを解除する方向に付勢する第２保持部材２５０が設けられている。
【００２７】
続いて、図８も共に参照しながら光ディスクの収納と取り出しとの動作を説明する。
【００２８】
光ディスク５０を収納するときは、光ディスク５０中央の円孔５１を係止手段２００に嵌入させて、係止手段２００の掛止爪２２０を光ディスク５０の円孔５１周縁に当接させる。これによって光ディスク５０が係止され、収納動作は完了である。
【００２９】
一方、光ディスク５０を取り出すときは、指で係止手段２００の被押圧部材２３０を押圧して係止手段２００を押し下げると、光ディスク５０は、付勢部２１３と第２保持部材２５０とに支持された状態で、係止手段２００が下方に撓むのに抗しながら僅かに変形する。このとき、図３（ａ）に示すように、付勢部２１３は、光ディスク５０を解除する方向に作用する付勢力Ｆを光ディスク５０に与える。そして、被押圧部材２３０が押し下がることに連動して掛止爪２２０が被押圧部材２３０の方へ傾いて、光ディスク５０が係止手段２００の係止から解除される。このとき、変形していた光ディスク５０は本来の形状に復元して跳ね上がるので、使用者は光ディスク５０を取り出すことができるようになる。
【００３０】
また、図３（ｂ）に示すように、掛止爪２２０の前端部２２１を丸角に形成することにより、上述したような、ＤＶＤなどの光ディスク５０の接着部５４に起因していた問題を解消し、光ディスク５０の取り出し過程をより円滑にできる構成としてもよい。
【００３１】
図４は、本発明に係る光ディスク収納ケースの組立完成図である。組立が完成した本発明の光ディスク収納ケース１００は、平面部１１２上にて係止手段２００を取り囲むように設けられた、光ディスク５０を保護するための環状突条１３０がさらに備わっている。環状突条１３０には、少なくとも１つの凹陥部１３１が設けられており、これによって光ディスク５０がより取り出し易くなる。さらに、環状突条１３０上には、複数個の第３保持部材１３２が設けてある。これら第３保持部材１３２は、光ディスク５０が解除されるとき不当に傾いてしまい、光ディスク５０中央の円孔５１に掛止爪２２０が引っ掛かってしまうことを回避する目的で、第１保持部材２１０の高さよりも低いまたはこれと等しい高さに設けられたものである。
【００３２】
本発明に係る光ディスク収納ケースは、各種のサイズまたは非円形の光ディスクにも適用でき、いずれの場合でも光ディスクを解除するために十分な付勢力を付与できる。
【００３３】
以上、好適な実施形態を用いて本発明を説明したが、本発明はこれら実施形態に限定されることはなく、本発明の精神と範囲とを脱しない限りにおいて、当業者は各種変更および修飾を加えることができる。すなわち、本発明の保護範囲は、添付の特許請求の範囲で定義された範囲が基準となる。
【図面の簡単な説明】
【００３４】
【図１】本発明に係る光ディスク収納ケースの主要構造図である。
【図２】本発明に係る光ディスク収納ケースの係止手段を示す立体図である。
【図３】保持部材が光ディスクを保持している状態を説明する図、及び、前端部が丸角に形成された掛止爪から光ディスクが解除される状態を説明する図である。
【図４】本発明に係る光ディスク収納ケースの組立完成図である。
【図５】従来の光ディスク収納ケースを示す立体図である。
【図６】従来の光ディスク収納ケースのケース本体の断面図である。
【図７】従来の光ディスク収納ケースから光ディスクを取り出す動作を説明するための断面図、及び、小さいサイズまたは非円形の光ディスクを従来の光ディスクに収納した状態を説明する断面図である。
【図８】光ディスクの外観斜視図である。
【図９】図８における光ディスクの部分Ａの拡大図、及び、掛止爪の係止から光ディスクが解除される状態を示す説明図である。
【符号の説明】
【００３５】
５０      光ディスク
５１      円孔
５２      第１の光ディスク層
５３      第２の光ディスク層
５４      接着部
１００    光ディスク収納ケース
１１０    ケース本体
１１１    第１係合部
１２０    蓋
１２１    第２係合部
１３０    環状突条
１３１    凹陥部
１３２    第３保持部材
２００    係止手段
２１０    第１保持部材
２１１    第１の端部
２１２    第２の端部
２１３    付勢部
２１５    第１の間隙
２１６    切り欠き孔
２２０    掛止爪
２２１    前端部
２３０    被押圧部材
２４０    第２の間隙
２５０    第２保持部材
【図１】
2005203068.tif 000003
【図２】
2005203068.tif 000004
【図３】
2005203068.tif 000005
【図４】
2005203068.tif 000006
【図５】
2005203068.tif 000007
【図６】
2005203068.tif 000008
【図７】
2005203068.tif 000009
【図８】
2005203068.tif 000010
【図９】
2005203068.tif 000011